(57)【要約】【課題】本発明は、テレビジョンインターフェースを制御する制御装置、リモートコントロール装置及びその制御方法を提供する。【解決手段】本発明の制御装置は、リモートコントロール装置からのモード切替要求信号及びリモートコントロール信号を受信する通信ユニットと、複数のプログラムを格納する記憶ユニットと、モード切替要求信号に基づいてモード切替制御信号をテレビ受像機に送信してユーザーインターフェースを表示させる一方、リモートコントロール信号に基づいて記憶ユニットから対応するプログラムを獲得し、第一制御信号をリモートコントロール装置に送信してプログラムにマッチングするリモートコントロールインターフェースを表示させ、第二制御信号をテレビ受像機に送信してプログラムを実行するためのユーザーインターフェースを表示させる制御ユニットと、を備える。【選択図】図１
2014116936.tif 000002
【特許請求の範囲】
【請求項１】
テレビ受像機及びリモートコントロール装置に通信接続され且つテレビジョンインターフェースを制御する制御装置であって、
前記リモートコントロール装置は、ユーザーのモード切替操作に基いてモード切替要求信号を生成し且つユーザーの実行プログラム選択操作に基いて選択されたプログラムのプログラム情報を携帯するリモートコントロール信号を生成し、
前記リモートコントロール装置から送信するモード切替要求信号及びプログラム情報を携帯するリモートコントロール信号を受信する通信ユニットと、
複数の実行可能なプログラムを格納する記憶ユニットと、
前記モード切替要求信号に基づいてモード切替制御信号を生成し、前記通信ユニットを制御して前記モード切替制御信号を前記テレビ受像機に送信することにより、前記テレビ受像機が前記モード切替制御信号に基づいて対応する放送モードに切り替えられて対応するユーザーインターフェースを表示することにする一方、前記リモートコントロール信号に基づいて前記記憶ユニットから前記プログラム情報に対応するプログラムを獲得して対応する第一制御信号及び第二制御信号を生成し、前記通信ユニットを制御して前記第一制御信号及び前記第二制御信号を別々に前記リモートコントロール装置及び前記テレビ受像機に送信して、前記リモートコントロール装置が前記第一制御信号に基づいて前記プログラムにマッチングするリモートコントロールインターフェースを表示することにして、前記テレビ受像機が前記第二制御信号に基づいて前記プログラムを実行するためのユーザーインターフェースを表示することにする制御ユニットと、
を備えることを特徴とするテレビジョンインターフェースを制御する制御装置。
【請求項２】
選択された前記プログラムが実行される場合、前記制御ユニットは前記リモートコントロール装置から送信するリモートコントロール信号が実行しようとするプログラムのプログラム情報を携帯するか否かを識別し、もし前記リモートコントロール信号が実行しようとするプログラムのプログラム情報を携帯すると、前記プログラム情報が現在実行されるプログラムに対応されるプラグラム情報とマッチングするか否かを判断し、前記プログラム情報が現在実行されるプログラムに対応されるプラグラム情報とマッチングしないと、前記制御ユニットは改めて前記記憶ユニットから受信した前記プログラム情報にマッチングするプログラムを獲得し且つ第一制御信号及び第二制御信号を生成することを特徴とする請求項１に記載のテレビジョンインターフェースを制御する制御装置。
【請求項３】
制御装置に通信接続され且つ前記制御装置によってテレビ受像機をリモートコントロールするテレビジョンインターフェースを制御するリモートコントロール装置であって、
前記制御装置に通信接続される通信ユニットと、
複数の機能ボタンを備えるリモートコントロール装置の第一リモートコントロールインターフェースを表示し、ユーザーのタッチ操作に基いてタッチ信号を生成するタッチ表示ユニットと、
前記タッチ表示ユニットによって生成したタッチ信号を受信し、前記タッチ信号に基づいて前記タッチ表示ユニット上のタッチ位置を確定するタッチ検出ユニットと、
前記タッチ検出ユニットによって確定したタッチ位置に基いてタッチ操作を確定し、前記タッチ操作がモード切替操作であると判断した時にモード切替要求信号を生成して前記通信ユニットによって前記制御装置に送信することにより、前記制御装置が前記モード切替要求信号に基づいてモード切替制御信号を生成して前記テレビ受像機に送信することにして、さらに前記テレビ受像機が前記モード切替制御信号に基いて対応する放送モードに切り替えられて対応するユーザーインターフェースを表示することにする一方、前記タッチ操作がプログラム選択操作であると判断した時に実行しようとするプログラムを確定してプログラム情報を携帯するリモートコントロール信号を生成して前記通信ユニットによって前記制御装置に送信して前記制御装置をリモートコントロールすることにより、前記制御装置が前記リモートコントロール信号の中のプログラム情報に対応されるプログラムを獲得して対応する第一制御信号及び第二制御信号を生成し且つ前記第一制御信号及び前記第二制御信号を別々に前記リモートコントロール装置及び前記テレビ受像機に送信することにして、さらに前記リモートコントロール装置が前記第一制御信号に基づいて前記プログラムにマッチングするリモートコントロールインターフェースを表示し、前記テレビ受像機が前記第二制御信号に基づいて前記プログラムを実行するためのユーザーインターフェースを表示することにする制御ユニットと、
を備えることを特徴とするテレビジョンインターフェースを制御するリモートコントロール装置。
【請求項４】
前記制御ユニットは、前記第一制御信号に基づいて前記タッチ表示ユニットを第一表示領域及び第二表示領域に分けて、前記第一表示領域は第一リモートコントロールインターフェースを表示し、前記第二表示領域は第二リモートコントロールインターフェースを表示することを特徴とする請求項３に記載のテレビジョンインターフェースを制御するリモートコントロール装置。
【請求項５】
前記制御ユニットによってモード切替要求信号を生成した場合、前記通信ユニットによって前記制御装置から複数のプログラムを記録したプログラムリストを獲得し、前記制御ユニットはさらに前記タッチ表示ユニットを制御して第一リモートコントロールインターフェースに前記プログラムリストを表示して、ユーザーはタッチ操作によって前記第一リモートコントロールインターフェースに表示されるプログラムリストから実行必要なプログラムを選択することを特徴とする請求項３に記載のテレビジョンインターフェースを制御するリモートコントロール装置。
【請求項６】
前記テレビ受像機の放送モードはＴＶモード及びｉＴＶモードを備え、前記テレビ受像機は前記モード切替制御信号に基いてＴＶモードからｉＴＶモードに切り替えられて対応するユーザーインターフェースを表示することを特徴とする請求項３に記載のテレビジョンインターフェースを制御するリモートコントロール装置。
【請求項７】
リモートコントロール装置、テレビ受像機及び前記リモートコントロール装置及び前記テレビ受像機に通信接続される制御装置を備えるテレビジョンインターフェース操作制御システムの中で実施されるテレビジョンインターフェース制御方法であって、
前記リモートコントロール装置は、ユーザーのモード切替操作に基いてモード切替要求信号を生成してから前記制御装置に送信し、前記制御装置は、前記モード切替要求信号に基づいてモード切替制御信号を生成してから前記テレビ受像機に送信し、前記テレビ受像機は、前記モード切替制御信号に基いて対応する放送モードに切り替えられて対応するユーザーインターフェースを表示するステップと、
前記リモートコントロール装置は、ユーザーの実行プログラム選択操作に基いて選択されたプログラムのプログラム情報を携帯するリモートコントロール信号を生成してから前記制御装置に送信するステップと、
前記制御装置は、前記リモートコントロール信号に基づいて前記プログラム情報に対応するプログラムを獲得して対応する第一制御信号及び第二制御信号を生成し、前記第一制御信号及び前記第二制御信号を別々に前記リモートコントロール装置及び前記テレビ受像機に送信するステップと、
前記リモートコントロール装置は、前記第一制御信号に基づいて前記プログラムにマッチングするリモートコントロールインターフェースを表示するステップと、
前記テレビ受像機は、前記第二制御信号に基づいて前記プログラムを実行するためのユーザーインターフェースを表示するステップと、
を備えることを特徴とするテレビジョンインターフェース制御方法。
【請求項８】
前記リモートコントロール装置は、前記制御装置から複数のプログラムを記録したプログラムリストを獲得して表示し、ユーザーの前記プログラムリストに対する選択操作に基いて実行しようとするプログラムを確定することを特徴とする請求項７に記載のテレビジョンインターフェース制御方法。
【請求項９】
前記リモートコントロール装置は、前記第一制御信号に基づいて第一表示領域及び第二表示領域を同時に表示し、前記第一表示領域は複数の機能ボタンを備えるリモートコントロール装置のリモートコントロールインターフェースを表示し、前記第二表示領域は、実行プログラムに対応される操作インターフェースを表示することを特徴とする請求項８に記載のテレビジョンインターフェース制御方法。
【請求項１０】
前記テレビジョンインターフェース制御方法は、
前記制御装置は、前記リモートコントロール装置から送信するリモートコントロール信号が実行しようとするプログラムのプログラム情報を携帯するか否かを識別するステップと、
前記リモートコントロール信号が実行しようとするプログラムのプログラム情報を携帯すると、前記プログラム情報が現在実行されるプログラムに対応されるプラグラム情報とマッチングするか否かを判断するステップと、
前記プログラム情報が現在実行されるプログラムに対応されるプラグラム情報とマッチングしないと、前記プログラム情報にマッチングするプログラムを改めて獲得し且つ第一制御信号及び第二制御信号を生成するステップと、
をさらに備えることを特徴とする請求項８に記載のテレビジョンインターフェース制御方法。
【発明の詳細な説明】
【技術分野】
【０００１】
本発明は、テレビジョンインターフェースを制御する制御装置、リモートコントロール装置及びその制御方法に関するものである。
【背景技術】
【０００２】
現在のテレビジョンは、イメージ又はビデオを表示するだけではなく、コンピューティング機能及びゲーム機能も発揮するので、ユーザーとテレビジョンとの間のコミュニケーション頻度は増加している。ユーザーはリモートコントロール装置のボタンを操作することによって、テレビ受像機に表示されるユーザーインターフェースに対して操作を行う。
【発明の概要】
【発明が解決しようとする課題】
【０００３】
しかし、現在のリモートコントロール装置に設置されたメニューボタンとテレビ受像機に表示されるユーザーインターフェースは対応しないので、ユーザーはテレビ受像機に表示されるユーザーインターフェースを十分に操作することができず、操作難度及び操作複雑性を増加する。
【０００４】
本発明の目的は、上記問題を解決することであり、テレビ受像機に表示されるユーザーインターフェースを同期操作するテレビジョンインターフェースを制御する制御装置、リモートコントロール装置及びその制御方法を提供することである。
【課題を解決するための手段】
【０００５】
本発明に係るテレビジョンインターフェースを制御する制御装置は、テレビ受像機及びリモートコントロール装置に通信接続され、リモートコントロール装置は、ユーザーのモード切替操作に基いてモード切替要求信号を生成し且つユーザーの実行プログラム選択操作に基いて選択されたプログラムのプログラム情報を携帯するリモートコントロール信号を生成し、リモートコントロール装置から送信するモード切替要求信号及びプログラム情報を携帯するリモートコントロール信号を受信する通信ユニットと、複数の実行可能なプログラムを格納する記憶ユニットと、モード切替要求信号に基づいてモード切替制御信号を生成し、通信ユニットを制御してモード切替制御信号をテレビ受像機に送信することにより、テレビ受像機がモード切替制御信号に基づいて対応する放送モードに切り替えられて対応するユーザーインターフェースを表示することにする一方、リモートコントロール信号に基づいて記憶ユニットからプログラム情報に対応するプログラムを獲得して対応する第一制御信号及び第二制御信号を生成し、通信ユニットを制御して第一制御信号及び第二制御信号を別々にリモートコントロール装置及びテレビ受像機に送信して、リモートコントロール装置が第一制御信号に基づいてプログラムにマッチングするリモートコントロールインターフェースを表示することにして、テレビ受像機が第二制御信号に基づいてプログラムを実行するためのユーザーインターフェースを表示することにする制御ユニットと、を備える。
【０００６】
本発明に係るテレビジョンインターフェースを制御するリモートコントロール装置は、制御装置に通信接続され且つ制御装置によってテレビ受像機をリモートコントロールし、制御装置に通信接続される通信ユニットと、複数の機能ボタンを備えるリモートコントロール装置の第一リモートコントロールインターフェースを表示し、ユーザーのタッチ操作に基いてタッチ信号を生成するタッチ表示ユニットと、タッチ表示ユニットによって生成したタッチ信号を受信し、タッチ信号に基づいてタッチ表示ユニット上のタッチ位置を確定するタッチ検出ユニットと、タッチ検出ユニットによって確定したタッチ位置に基いてタッチ操作を確定し、タッチ操作がモード切替操作であると判断した時にモード切替要求信号を生成して通信ユニットによって制御装置に送信することにより、制御装置がモード切替要求信号に基づいてモード切替制御信号を生成してテレビ受像機に送信することにして、さらにテレビ受像機がモード切替制御信号に基いて対応する放送モードに切り替えられて対応するユーザーインターフェースを表示することにする一方、タッチ操作がプログラム選択操作であると判断した時に実行しようとするプログラムを確定してプログラム情報を携帯するリモートコントロール信号を生成して通信ユニットによって制御装置に送信して制御装置をリモートコントロールすることにより、制御装置がリモートコントロール信号の中のプログラム情報に対応されるプログラムを獲得して対応する第一制御信号及び第二制御信号を生成し且つ第一制御信号及び第二制御信号を別々にリモートコントロール装置及びテレビ受像機に送信することにして、さらにリモートコントロール装置が第一制御信号に基づいてプログラムにマッチングするリモートコントロールインターフェースを表示し、テレビ受像機が第二制御信号に基づいてプログラムを実行するためのユーザーインターフェースを表示することにする制御ユニットと、を備える。
【０００７】
本発明に係るテレビジョンインターフェース制御方法は、リモートコントロール装置、テレビ受像機及び前記リモートコントロール装置及び前記テレビ受像機に通信接続される制御装置を備えるテレビジョンインターフェース操作制御システムの中で実施され、リモートコントロール装置は、ユーザーのモード切替操作に基いてモード切替要求信号を生成してから制御装置に送信し、制御装置はモード切替要求信号に基づいてモード切替制御信号を生成してからテレビ受像機に送信し、テレビ受像機はモード切替制御信号に基いて対応する放送モードに切り替えられて対応するユーザーインターフェースを表示するステップと、リモートコントロール装置は、ユーザーの実行プログラム選択操作に基いて選択されたプログラムのプログラム情報を携帯するリモートコントロール信号を生成してから制御装置に送信するステップと、制御装置はリモートコントロール信号に基づいてプログラム情報に対応するプログラムを獲得して対応する第一制御信号及び第二制御信号を生成し、第一制御信号及び第二制御信号を別々にリモートコントロール装置及びテレビ受像機に送信するステップと、リモートコントロール装置は第一制御信号に基づいてプログラムにマッチングするリモートコントロールインターフェースを表示するステップと、テレビ受像機は第二制御信号に基づいてプログラムを実行するためのユーザーインターフェースを表示するステップと、を備える。
【発明の効果】
【０００８】
本発明において、テレビジョンインターフェース操作制御装置、リモートコントロール装置及びその制御方法は、リモートコントロール装置によって１つのプログラムを執行するリモートコントロール操作指令を送信し、制御装置はリモートコントロール操作指令に応じて対応する交互インターフェースをテレビ受像機及びリモートコントロール装置に伝送し、リモートコントロール装置によって実行プログラムにマッチングするリモートコントロールインターフェースを表示し、テレビ受像機によって実行プログラムにマッチングするユーザーインターフェースを表示して、ユーザーがリモートコントロールインターフェースを操作する時に対応する指令を制御装置に送信して、さらにテレビ受像機に送信して対応する機能を執行することにより、テレビ受像機に表示されるユーザーインターフェースを同期操作することができる。
【図面の簡単な説明】
【０００９】
【図１】本発明の実施形態に係るテレビジョンインターフェース操作制御システムの機能ブロック図である。
【図２】本発明の実施形態に係るテレビジョンインターフェース操作制御システムの第一使用状態図である。
【図３】本発明の実施形態に係るテレビジョンインターフェース操作制御システムの第二使用状態図である。
【図４】本発明の実施形態に係るテレビジョンインターフェース操作制御方法のフローチャートである。
【発明を実施するための形態】
【００１０】
以下、図面を参照して、本発明の実施形態について説明する。
【００１１】
図１〜図３を参照すると、本発明の実施形態に係るテレビジョンインターフェース操作制御システム１０は、リモートコントロール装置１１と、テレビ受像機１２と、制御装置１３と、を備え、リモートコントロール装置１１及びテレビ受像機１２は、別々に制御装置１３に有線接続又は無線接続される。本実施形態において、制御装置１３は、ＳＴＢ（Ｓｅｔ  Ｔｏｐ  Ｂｏｘ）である。リモートコントロール装置１１は、リモートコントロール機能を有する移動端末である。
【００１２】
リモートコントロール装置１１は、通信ユニット１１０と、タッチ表示ユニット１１１と、タッチ検出ユニット１１２と、制御ユニット１１３と、を備える。通信ユニット１１０は、制御装置１３と通信するために用いられる。タッチ表示ユニット１１１は、制御ユニット１１３の制御によってリモートコントロールインターフェースを表示し、ユーザーにタッチされると対応するタッチ信号を生成する。本実施形態において、タッチ表示ユニット１１１は、第一表示領域１１１ａ及び第二表示領域１１１ｂに分けられる。図２に示されたように、第一表示領域１１１ａ及び第二表示領域１１１ｂは合併されて第一リモートコントロールインターフェースを表示することができ、又は図３に示されたように、第一表示領域１１１ａは、単独に第一リモートコントロールインターフェースを表示し、第二表示領域１１１ｂは、第二リモートコントロールインターフェースを表示する。第一リモートコントロールインターフェースは、複数の機能ボタンを備える従来のリモートコントロール装置の操作インターフェースである。第二リモートコントロールインターフェースは、テレビ受像機１２の実行プログラムに対応される操作インターフェースであり、例えば、図３に示されたように、テレビ受像機１２がゲームを実行する場合、第二リモートコントロールインターフェースは、ゲーム操作機能に対応される操作インターフェースを表示する。  
【００１３】
図２及び図３を参照すると、ユーザーは、タッチ表示ユニット１１１に表示される第一リモートコントロールインターフェースのＴＶ/ｉＴＶアイコンをタッチすることにより、ＴＶ/ｉＴＶ（普通テレビモード/智能テレビモード）のモード切替を行う。ＴＶモードのテレビ受像機１２は、普通のテレビ番組を放送することができ、ｉＴＶモードのテレビ受像機１２は、ユーザーの選択によって実行することを必要とするプログラムのユーザーインターフェースを表示することができ、例えば、音楽放送、ゲームなどである。具体的に説明すると、ユーザーが第一リモートコントロールインターフェースの対応するアイコンをタッチしてＴＶ/ｉＴＶモード切替を行う場合、タッチ検出ユニット１１２は、タッチ表示ユニット１１１によって生成したタッチ信号を検出し且つタッチ信号に基づいてタッチ位置を確定する。制御ユニット１１３は、タッチ位置に基いてタッチ操作がモード切替操作であると判断し、テレビ受像機１２の現在のＴＶモードをｉＴＶモードに切り替える又はテレビ受像機１２の現在のｉＴＶモードをＴＶモードに切り替えると確定した場合、モード切替要求信号を生成して通信ユニット１１０によって制御装置１３に送信する。
【００１４】
制御ユニット１１３は、タッチ検出ユニット１１２によって確定したタッチ位置に対応するアイコンがＴＶ/ｉＴＶモード切替アイコンであると判断した場合、このタッチ操作がモード切替操作であると確定する。
【００１５】
制御装置１３は、通信ユニット１３０と、記憶ユニット１３１と、制御ユニット１３２と、を備える。通信ユニット１３０は、リモートコントロール装置１１から送信するモード切替要求信号を受信し、制御ユニット１３２は、モード切替要求信号を識別することにより対応する制御信号を生成して通信ユニット１３０によってテレビ受像機１２に送信し、テレビ受像機１２は制御信号を受信してから対応する放送モードに入って対応するインターフェースを表示する。
【００１６】
制御装置１３の記憶ユニット１３１は、ＳＤカード、ＣＤのような外部記憶装置又は内部記憶装置であることができ、複数の実行可能なプログラムを格納するために用いられる。リモートコントロール装置１１の制御ユニット１１３は、テレビ受像機１２をｉＴＶモードに切り替えると確定した場合、通信ユニット１１０によって制御装置１３の記憶ユニット１３１に格納された複数のプログラムを記録したプログラムリストを獲得し、且つタッチ表示ユニット１１１を制御して第一リモートコントロールインターフェースにプログラムリストを表示する。ユーザーは、タッチ操作によって第一リモートコントロールインターフェースに表示されるプログラムリストから実行必要なプログラムを選択する。タッチ検出ユニット１１２は、ユーザーのタッチ操作に基いてタッチ位置を確定する。制御ユニット１１３は、タッチ位置に対応されるタッチ表示ユニット１１１に表示されるプログラムが実行しようとするプログラムであると確定した場合、選択情報を生成して通信ユニット１１０によって制御装置１３に送信する。選択情報は、選択されたプログラム情報を備え、例えば、プログラム名称である。
【００１７】
制御装置１３はリモートコントロール装置１１から送信する選択情報を受信した場合、制御ユニット１３２は選択情報に基いて記憶ユニット１３１からユーザーが選択した対応するプログラムを獲得し且つ第一制御信号及び第二制御信号を生成する。制御ユニット１３２は、通信ユニット１３０によって第一制御信号及び第二制御信号を別々にリモートコントロール装置１１及びテレビ受像機１２に送信する。
【００１８】
リモートコントロール装置１１が制御装置１３から送信する第一制御信号を受信した場合、制御ユニット１１３はタッチ表示ユニット１１１を第一表示領域１１１ａ及び第二表示領域１１１ｂに分けて、第一表示領域１１１ａは続いて第一リモートコントロールインターフェースを表示し、第二表示領域１１１ｂはユーザーが選択したプログラムにマッチングする第二リモートコントロールインターフェースを表示する。他の実施形態において、制御ユニット１１３は、タッチ表示ユニット１１１を直接に制御してユーザーが選択したプログラムにマッチングする第二リモートコントロールインターフェースを表示する。
【００１９】
テレビ受像機１２が制御装置１３から送信する第二制御信号を受信した場合、テレビ受像機１２は選択されたプログラムのユーザーインターフェースを表示する。ユーザーは、リモートコントロール装置１１に表示される第二リモートコントロールインターフェースを操作することにより、テレビ受像機１２に表示されるプログラムのユーザーインターフェースをリモートコントロールする。  
【００２０】
本実施形態において、テレビジョンインターフェース操作制御システム１０が１つのプログラムを実行する場合、制御装置１３の制御ユニット１３２はリモートコントロール装置１１から送信するリモートコントロール信号が選択情報を携帯するか否かを識別して、リモートコントロール信号が選択情報を携帯すると、選択情報の中のプログラム情報がシステムの現在実行されるプログラムに対応されるプラグラム情報とマッチングするか否かを判断する。選択情報の中のプログラム情報がシステムの現在実行されるプログラムに対応されるプラグラム情報とマッチングしないと、制御ユニット１３２は改めて記憶ユニット１３１から選択情報のプログラム情報にマッチングするプログラムを獲得し、且つ第一制御信号及び第二制御信号を生成して、別々にリモートコントロール装置１１に表示される第二リモートコントロールインターフェース及びテレビ受像機１２に表示されるユーザーインターフェースに対応させる。
【００２１】
図４を参照すると、本発明のテレビジョンインターフェース操作制御方法は、以下のステップを備える。  
【００２２】
ステップＳ４０：ユーザーは、リモートコントロール装置１１のタッチ表示ユニット１１１に表示される第一リモートコントロールインターフェースのアイコンをタッチすることによりＴＶ/ｉＴＶモード切替を行い、リモートコントロール装置１１のタッチ検出ユニット１１２はタッチ表示ユニット１１１によって生成したタッチ信号を検出し且つタッチ信号に基づいてタッチ位置を確定し、リモートコントロール装置１１の制御ユニット１１３は、タッチ位置に基いてタッチ操作がモード切替操作であると判断し、テレビ受像機１２の現在のＴＶモードをｉＴＶモードに切り替えると確定した場合、モード切替信号を生成して通信ユニット１１０によって制御装置１３に送信する。制御装置１３はモード切替信号を識別して制御信号を生成してテレビ受像機１２に送信する。テレビ受像機１２は、制御装置１３からの制御信号に基づいて対応するモードに切り替えられ、即ちＴＶモードからｉＴＶモードに切り替えられ、且つ対応するユーザーインターフェースを表示する。
【００２３】
ステップＳ４１：リモートコントロール装置１１の制御ユニット１１３は通信ユニット１１０によって制御装置１３の記憶ユニット１３１に格納された複数のプログラムを記録したプログラムリストを獲得し、タッチ表示ユニット１１１を制御して第一リモートコントロールインターフェースにプログラムリストを表示する。
【００２４】
ステップＳ４２：リモートコントロール装置１１のタッチ検出ユニット１１２は、ユーザーの第一リモートコントロールインターフェースに表示されるプログラムリストに対するタッチ操作に基いてタッチ位置を確定し、制御ユニット１１３は、タッチ検出ユニット１１２によって決まれたタッチ位置に基いて実行しようとするプログラムを確定して、プログラム情報を含む選択情報を生成し、通信ユニット１１０によって選択情報を制御装置１３に送信する。
【００２５】
ステップＳ４３：制御装置１３の制御ユニット１３２は受信した選択情報のプログラム情報に基いて記憶ユニット１３１から対応するプログラムを獲得して第一制御信号及び第二制御信号を生成し且つ通信ユニット１３０によって第一制御信号及び第二制御信号を別々にリモートコントロール装置１１及びテレビ受像機１２に送信する。
【００２６】
ステップＳ４４：リモートコントロール装置１１の制御ユニット１１３はタッチ表示ユニット１１１を第一表示領域１１１ａ及び第二表示領域１１１ｂに分けて、第一表示領域１１１ａは続いて第一リモートコントロールインターフェースを表示し、第二表示領域１１１ｂは実行しようとするプログラムにマッチングする第二リモートコントロールインターフェースを表示する。
【００２７】
他の実施形態において、リモートコントロール装置１１の制御ユニット１１３はタッチ表示ユニット１１１を直接に制御して実行しようとするプログラムにマッチングする第二リモートコントロールインターフェースを表示する。
【００２８】
ステップＳ４５：テレビ受像機１２は第二制御信号に応じて実行されるプログラムのユーザーインターフェースを表示し、ユーザーは、リモートコントロール装置１１に表示される第二リモートコントロールインターフェースを操作することにより、テレビ受像機１２に表示される実行プログラムのユーザーインターフェースをリモートコントロールする。
【００２９】
本実施形態において、テレビジョンインターフェース操作制御システム１０が１つのプログラムを実行する場合、制御装置１３の制御ユニット１３２はリモートコントロール装置１１から送信するリモートコントロール信号が選択情報を携帯するか否かを識別して、リモートコントロール信号が選択情報を携帯すると、選択情報の中のプログラム情報がシステムの現在実行されるプログラムに対応されるプラグラム情報とマッチングするか否かを判断する。選択情報の中のプログラム情報がシステムの現在実行されるプログラムに対応されるプラグラム情報とマッチングしないと、制御ユニット１３２は改めて記憶ユニット１３１から選択情報のプログラム情報にマッチングするプログラムを獲得し、且つ第一制御信号及び第二制御信号を生成して、別々にテレビ受像機１２に表示されるユーザーインターフェース及びリモートコントロール装置１１に表示される第二リモートコントロールインターフェースに対応させる。
【００３０】
本発明のテレビジョンインターフェース操作制御装置、リモートコントロール装置及びその制御方法は、リモートコントロール装置によって１つのプログラムを執行するリモートコントロール操作指令を送信し、制御装置はリモートコントロール操作指令に応じて対応する交互インターフェースをテレビ受像機及びリモートコントロール装置に伝送し、リモートコントロール装置によって実行プログラムにマッチングするリモートコントロールインターフェースを表示し、テレビ受像機によって実行プログラムにマッチングするユーザーインターフェースを表示して、ユーザーがリモートコントロールインターフェースを操作する時に対応する指令を制御装置に送信して、さらにテレビ受像機に送信して対応する機能を執行することにより、テレビ受像機に表示されるユーザーインターフェースを同期操作することができる。
【符号の説明】
【００３１】
１０  テレビジョンインターフェース操作制御システム
１１  リモートコントロール装置
１２  テレビ受像機
１３  制御装置
１１０，１３０  通信ユニット
１１１  タッチ表示ユニット
１１１ａ  第一表示領域
１１１ｂ  第二表示領域
１１２  タッチ検出ユニット
１１３，１３２  制御ユニット
１３１  記憶ユニット
【図１】
2014116936.tif 000003
【図２】
2014116936.tif 000004
【図３】
2014116936.tif 000005
【図４】
2014116936.tif 000006